(57)【特許請求の範囲】
【請求項１】
演出役物装置を有する遊技機であって、
前記演出役物装置は、
第１本体部および第２本体部を有する役物本体と、
前記第１本体部および第２本体部のそれぞれを退避位置と突出位置との間で移動させ、前記突出位置において前記第１本体部の対向面および前記第２本体部の対向面を対向させた合体姿勢に前記役物本体を保持し、前記退避位置において前記第１本体部および第２本体部の両対向面の対向角度が前記合体姿勢よりも大きく、かつ、前記退避位置から突出位置への移動方向における後方側に前記第１本体部および第２本体部の両対向面を臨ませた格納姿勢に前記役物本体を保持する駆動機構と、を備え、
前記駆動機構は、
前記第１本体部および第２本体部を前記突出位置から前記退避位置へと移動させる際、移動方向における前方側の前記第１本体部および第２本体部の両対向面間の距離を、移動方向における後方側の前記第１本体部および第２本体部の両対向面間の距離に比べて徐々に大きくすることを特徴とする演出役物装置を有する遊技機。
【請求項２】
前記第１本体部および第２本体部のそれぞれに設けられ、前記役物本体が前記合体姿勢にあるとき、当該役物本体の前記突出位置と退避位置との間の移動方向と交差する方向に延在する本体側案内部と、
一端側が回転自在に軸支され、他端側に前記第１本体部の前記本体側案内部にスライド可能に係合される係合部が設けられた第１リンク部材と、
一端側が回転自在に軸支され、他端側に前記第２本体部の前記本体側案内部にスライド可能に係合される係合部が設けられた第２リンク部材と、を備え、
前記第１リンク部材および第２リンク部材は、
前記役物本体が前記合体姿勢にあるとき、前記係合部を、前記第１本体部および第２本体部における両本体側案内部のうち、互いに近接する側の一方の端部に位置させるとともに、前記役物本体を前記突出位置から退避位置へと移動させる際、前記一端側を回転軸として前記係合部が互いに離反する方向に回転し、
前記係合部は、
前記第１リンク部材および第２リンク部材の回転に伴って前記役物本体が前記合体姿勢から前記格納姿勢に変位する過程で、前記両本体側案内部を前記一方の端部と他方の端部との間でスライドし、前記役物本体が格納姿勢にあるとき、前記一方の端部に位置することを特徴とする請求項１記載の演出役物装置を有する遊技機。
【請求項３】
一端側が前記第１リンク部材に回転自在に連結され、他端側が前記第１本体部に回転自在に連結された第１連結部材と、
一端側が前記第２リンク部材に回転自在に連結され、他端側が前記第２本体部に回転自在に連結された第２連結部材と、を備え、
前記第１本体部および前記第２本体部は、
前記第１リンク部材および第２リンク部材の回転に伴う前記第１連結部材および第２連結部材の揺動と、前記係合部の前記本体側案内部におけるスライドとにより、前記格納姿勢と合体姿勢との間で変位することを特徴とする請求項２記載の演出役物装置を有する遊技機。
【請求項４】
遊技機の遊技盤に固定される演出役物装置であって、
前記遊技盤に固定される支持体と、
前記支持体に設けられたモータと、
前記モータの回転に伴って可動するリンク機構と、
前記リンク機構に可動自在に連結された第１本体部および第２本体部を有する役物本体と、
前記第１本体部および第２本体部のそれぞれを退避位置と突出位置との間で移動させ、前記突出位置において前記第１本体部の対向面および前記第２本体部の対向面を対向させた合体姿勢に前記役物本体を保持し、前記退避位置において前記第１本体部および第２本体部の両対向面の対向角度が前記合体姿勢よりも大きく、かつ、前記退避位置から突出位置への移動方向における後方側に前記第１本体部および第２本体部の両対向面を臨ませた格納姿勢に前記役物本体を保持する駆動機構と、を備え、
前記駆動機構は、
前記第１本体部および第２本体部を前記突出位置から前記退避位置へと移動させる際、移動方向における前方側の前記第１本体部および第２本体部の両対向面間の距離を、移動方向における後方側の前記第１本体部および第２本体部の両対向面間の距離に比べて徐々に大きくすることを特徴とする演出役物装置。
【発明の詳細な説明】
【技術分野】
【０００１】
本発明は、演出役物装置を有する遊技機および演出役物装置に関する。
【背景技術】
【０００２】
近年、遊技機において、液晶表示装置を用いた演出のみならず、機械的に駆動する演出役物装置を用いた演出が遂行されている。演出役物装置を用いた演出として、例えば、特許文献１に示されるように、液晶表示装置の上方に形成された空間に役物本体を退避させておき、所定の契機に基づいて当該役物本体を液晶表示装置の表示面上に降下させることで、演出を遂行する遊技機が知られている。また特許文献２に示されるように、液晶表示装置の側方に形成された空間に役物本体を退避させておき、所定の契機に基づいて当該役物本体を液晶表示装置の表示面上に突出させることで、演出を遂行する遊技機もある。
【０００３】
さらに、特許文献３、４に示されるように、収容空間に臨む端部が回転可能に連結された第１役物本体および第２役物本体を備え、収容空間に退避させているときには、第１役物本体および第２役物本体が２分割され、収容空間から降下または突出させるときに、第１役物本体および第２役物本体が合体される技術も開示されている。
【先行技術文献】
【特許文献】
【０００４】
【特許文献１】特開２００９−３１１号公報
【特許文献２】特開２０１１−９２６４０号公報
【特許文献３】特開２００７−１４３９６６号公報
【特許文献４】特開２００９−１１２６５８号公報
【発明の概要】
【発明が解決しようとする課題】
【０００５】
上記の演出役物装置は、通常、遊技盤の背面に設けられているが、遊技盤の背面には、液晶表示装置や各種の基板等、種々の部品が取り付けられている。そのため、役物本体が可動する演出役物装置を設ける場合、役物本体が他の部品と干渉しないように設計する必要があり、設計作業が煩雑化してしまうといった問題がある。また、他の部品との干渉を避けるために、役物本体のサイズが制約されてしまう場合があり、このような場合には、役物本体の可動による迫力が低下して演出効果が低下してしまうといった問題が生じる。
【０００６】
本発明の目的は、設計作業を簡素化しつつ、迫力ある演出を行うことができる演出役物装置を有する遊技機および演出役物装置を提供することである。
【課題を解決するための手段】
【０００７】
上記課題を解決するために、本発明の遊技機は、演出役物装置を有する遊技機であって、前記演出役物装置は、第１本体部および第２本体部を有する役物本体と、前記第１本体部および第２本体部のそれぞれを退避位置と突出位置との間で移動させ、前記突出位置において前記第１本体部の対向面および前記第２本体部の対向面を対向させた合体姿勢に前記役物本体を保持し、前記退避位置において前記第１本体部および第２本体部の両対向面の対向角度が前記合体姿勢よりも大きく、かつ、前記退避位置から突出位置への移動方向における後方側に前記第１本体部および第２本体部の両対向面を臨ませた格納姿勢に前記役物本体を保持する駆動機構と、を備え、前記駆動機構は、前記第１本体部および第２本体部を前記突出位置から前記退避位置へと移動させる際、移動方向における前方側の前記第１本体部および第２本体部の両対向面間の距離を、移動方向における後方側の前記第１本体部および第２本体部の両対向面間の距離に比べて徐々に大きくすることを特徴とする。
【０００８】
また、前記第１本体部および第２本体部のそれぞれに設けられ、前記役物本体が前記合体姿勢にあるとき、当該役物本体の前記突出位置と退避位置との間の移動方向と交差する方向に延在する本体側案内部と、一端側が回転自在に軸支され、他端側に前記第１本体部の前記本体側案内部にスライド可能に係合される係合部が設けられた第１リンク部材と、一端側が回転自在に軸支され、他端側に前記第２本体部の前記本体側案内部にスライド可能に係合される係合部が設けられた第２リンク部材と、を備え、前記第１リンク部材および第２リンク部材は、前記役物本体が前記合体姿勢にあるとき、前記係合部を、前記第１本体部および第２本体部における両本体側案内部のうち、互いに近接する側の一方の端部に位置させるとともに、前記役物本体を前記突出位置から退避位置へと移動させる際、前記一端側を回転軸として前記係合部が互いに離反する方向に回転し、前記係合部は、前記第１リンク部材および第２リンク部材の回転に伴って前記役物本体が前記合体姿勢から前記格納姿勢に変位する過程で、前記両本体側案内部を前記一方の端部と他方の端部との間でスライドし、前記役物本体が格納姿勢にあるとき、前記一方の端部に位置してもよい。
【０００９】
また、一端側が前記第１リンク部材に回転自在に連結され、他端側が前記第１本体部に回転自在に連結された第１連結部材と、一端側が前記第２リンク部材に回転自在に連結され、他端側が前記第２本体部に回転自在に連結された第２連結部材と、を備え、前記第１本体部および前記第２本体部は、前記第１リンク部材および第２リンク部材の回転に伴う前記第１連結部材および第２連結部材の揺動と、前記係合部の前記本体側案内部におけるスライドとにより、前記格納姿勢と合体姿勢との間で変位してもよい。
【００１０】
また、本発明の演出役物装置は、遊技機の遊技盤に固定される演出役物装置であって、前記遊技盤に固定される支持体と、前記支持体に設けられたモータと、前記モータの回転に伴って可動するリンク機構と、前記リンク機構に可動自在に連結された第１本体部および第２本体部を有する役物本体と、前記第１本体部および第２本体部のそれぞれを退避位置と突出位置との間で移動させ、前記突出位置において前記第１本体部の対向面および前記第２本体部の対向面を対向させた合体姿勢に前記役物本体を保持し、前記退避位置において前記第１本体部および第２本体部の両対向面の対向角度が前記合体姿勢よりも大きく、かつ、前記退避位置から突出位置への移動方向における後方側に前記第１本体部および第２本体部の両対向面を臨ませた格納姿勢に前記役物本体を保持する駆動機構と、を備え、前記駆動機構は、前記第１本体部および第２本体部を前記突出位置から前記退避位置へと移動させる際、移動方向における前方側の前記第１本体部および第２本体部の両対向面間の距離を、移動方向における後方側の前記第１本体部および第２本体部の両対向面間の距離に比べて徐々に大きくすることを特徴とする。
【図面の簡単な説明】
【００１１】
【図１】扉が開放された状態を示す遊技機本体の斜視図である。
【図２】遊技機本体の正面図である。
【図３】遊技機本体の正面図である。
【図４】演出役物装置を構成する役物本体を説明するための図である。
【図５】役物本体を遊技盤に固定するための支持体を説明するための図である。
【図６】役物本体が退避位置に配されたときの演出役物装置を説明する図である。
【図７】退避位置と突出位置との間の位置に配されたときの演出役物装置を説明する図である。
【図８】役物本体が突出位置に配されたときの演出役物装置を説明する図である。
【図９】第１本体部および第２本体部の移動軌跡を説明するための図である。
【図１０】第１連結部材および第２連結部材の効果を説明するための図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
図１は、本実施形態の遊技機本体１の斜視図であり、扉が開放された状態を示している。図示のように、遊技機１は、略矩形状に組まれた四辺によって囲繞空間が形成される外枠２と、この外枠２にヒンジ機構によって開閉自在に取り付けられた中枠３と、この中枠３と同様に、ヒンジ機構によって外枠２に開閉自在に取り付けられた前枠４と、を備えている。
【００１４】
中枠３は、外枠２と同様に、略矩形状に組まれた四辺によって囲繞空間が形成されており、この囲繞空間に遊技盤５が保持されている。また、前枠４には、ガラス製または樹脂製の透過板６が保持されている。そして、これら中枠３および前枠４を外枠２に対して閉じると、遊技盤５と透過板６とが所定の間隔を維持して略平行に対面するとともに、遊技機本体１の正面側から、透過板６を介して遊技盤５が視認可能となる。
【００１５】
図２、図３は、遊技機本体１の正面図である。これらの図に示すように、前枠４の下部には、遊技機本体１の正面側に突出する操作ハンドル７が設けられている。この操作ハンドル７は、遊技者が回転操作可能に設けられており、遊技者が操作ハンドル７を回転させて発射操作を行うと、当該操作ハンドル７の回転角度に応じた強度で、不図示の発射機構によって遊技球が発射される。このようにして発射された遊技球は、遊技盤５に設けられたレール８ａ、８ｂ間を上昇して遊技領域９に導かれることとなる。
【００１６】
遊技領域９は、遊技盤５と透過板６との間に形成される空間であって、発射機構によって発射された遊技球がレール８ａ、８ｂから導かれる領域である。この遊技領域９には、遊技球が入球可能な一般入賞口１０、第１始動口１１、第２始動口１２が設けられており、これら一般入賞口１０、第１始動口１１、第２始動口１２に遊技球が入球すると、それぞれ所定の賞球が遊技者に払い出される。
【００１７】
なお、第１始動口１１または第２始動口１２に遊技球が入球すると、予め設けられた複数の特別図柄の中からいずれか１の特別図柄を決定するための抽選が行われる。各特別図柄には、遊技者にとって有利な特別遊技の実行可否や、特別遊技を実行する場合における当該特別遊技の内容が対応付けられている。したがって、遊技者は、第１始動口１１または第２始動口１２に遊技球が入球すると、所定の賞球を獲得するのと同時に、種々の遊技利益を受ける権利獲得の機会を獲得することとなる。
【００１８】
また、第２始動口１２は、可動片１２ｂを開閉可能に備えており、この可動片１２ｂの状態に応じて、第２始動口１２への遊技球の進入容易性が変化するようになっている。具体的には、第２始動口１２は遊技盤５の正面側に向けて出没自在に構成されており、可動片１２ｂが遊技盤５に対して没入した閉状態にあるときには、第２始動口１２への遊技球の入球が不可能もしくは困難となっている。
【００１９】
さらに、遊技領域９にはアタッカー装置１３が設けられている。このアタッカー装置１３は、遊技球が入球可能な大入賞口１４と、この大入賞口１４を開閉する開閉扉１４ｂと、を備えており、通常、開閉扉１４ｂが大入賞口１４を閉扉して、大入賞口１４への遊技球の入球が不可能となっている。これに対して、前述の特別遊技が実行されると、開閉扉１４ｂが開状態に制御されて、大入賞口１４への遊技球の入球が可能となり、当該大入賞口１４に遊技球が入球すると、所定の賞球が遊技者に払い出される。
【００２０】
なお、遊技領域９の最下部には、一般入賞口１０、第１始動口１１、第２始動口１２、大入賞口１４のいずれにも入球しなかった遊技球を、遊技領域９から遊技盤５の背面側に排出する排出口１５が設けられている。
【００２１】
そして、遊技盤５には、遊技の進行中等に演出を行う演出装置として、液晶表示装置からなる演出表示装置５０と、可動装置からなる演出役物装置１００（図３参照）とが設けられている。演出表示装置５０は、画像を表示する演出表示部５０ａを備えており、この演出表示部５０ａが遊技盤５の背面に固定されている。遊技盤５の略中央部分には貫通孔５ａが形成されており、演出表示部５０ａは、貫通孔５ａを介して、遊技機本体１の正面側から視認可能に配置されている。この演出表示部５０ａには、図示のように演出図柄６０ａ、６０ｂ、６０ｃが変動表示され、これら各演出図柄６０ａ、６０ｂ、６０ｃの停止表示態様によって大当たりの抽選結果が遊技者に報知されることとなる。
【００２２】
また、演出表示部５０ａの上方には、演出役物装置１００が設けられている。詳しくは後述するが、演出役物装置１００を構成する役物本体１１０は、図２に示すように通常、演出表示部５０ａの上方に形成された遊技盤５の背面側の空間（以下、収容空間と称する）に退避しており、遊技者から視認困難となっている。一方、図３に示すように、上記の演出図柄６０ａ、６０ｂ、６０ｃの変動表示中などに、役物本体１１０は可動され、収容空間から突出して、液晶表示部５０ａの前面に配される。このようにして、演出役物装置１００は、遊技者に大当たりの期待感を付与する。以下、収容空間に配されるときの役物本体１１０の位置を「退避位置」と称し、演出表示部５０ａの前面に配されるときの役物本体１１０の位置を「突出位置」と称する。
【００２３】
図４は、演出役物装置１００を構成する役物本体１１０を説明するための図であり、図４（ａ）は退避位置における役物本体１１０の正面図を、図４（ｂ）は退避位置における役物本体１１０の背面図を、図４（ｃ）は突出位置における役物本体１１０の正面図を、図４（ｄ）は突出位置における役物本体１１０の背面図を示す。
【００２４】
図４に示すように、役物本体１１０は、第１本体部１１０ａと、第２本体部１１０ｂと、連結部１１２とを含んで構成される。第１本体部１１０ａおよび第２本体部１１０ｂは、それぞれ略半円形状に構成され、双方の下端（退避位置から突出位置への移動方向における前方の端部）が連結部１１２によって回転自在に連結されている。詳しくは後述するが、役物本体１１０が退避位置から突出位置へ移動する際に、図４（ａ）、（ｂ）中矢印で示すように、第１本体部１１０ａの対向面１２０ａおよび第２本体部１１０ｂの対向面１２０ｂが互いに近づき、図４（ｃ）、（ｄ）に示すように、突出位置において役物本体１１０は、対向面１２０ａおよび対向面１２０ｂを対向（平行に対面）させた合体姿勢に保持される。したがって、突出位置において役物本体１１０は、略真円形状となる。
【００２５】
また、図４（ｄ）に示すように、第１本体部１１０ａおよび第２本体部１１０ｂの背面には、役物本体１１０が合体姿勢にあるとき、役物本体１１０の突出位置と退避位置との間の移動方向に交差する方向に延在する本体側案内部１３０ａ、１３０ｂが設けられている。本実施形態において、本体側案内部１３０ａは、第１本体部１１０ａの対向面１２０ａから円弧面１２２ａに向かって延在し、本体側案内部１３０ｂは、第２本体部１１０ｂの対向面１２０ｂから円弧面１２２ｂに向かって延在している。
【００２６】
図５は、演出役物装置１００を構成し、役物本体１１０を支持する支持体１５０を説明するための図であり、図５（ａ）は支持体１５０の正面図を、図５（ｂ）は支持体１５０の背面図を示す。
【００２７】
図５に示すように、支持体１５０は、薄板部材で構成され、遊技盤５の背面であって、遊技盤５の貫通孔５ａの上方に固定される。また、支持体１５０の長手方向中央近傍には、弧状に湾曲するガイド孔１５２ａ、１５２ｂが設けられている。また、支持体１５０の長手方向の端部近傍には、後述する第２ギヤ２０６、３０６の回転角度を規制するガイド孔１５４ａ、１５４ｂが設けられている。このように構成された支持体１５０に、後述するリンク機構２１０を介して役物本体１１０が移動可能に支持される。
【００２８】
図６、図７、図８は、演出役物装置１００を説明する図であり、図６は、役物本体１１０が退避位置に配されたときの演出役物装置１００を示し、図７は、役物本体１１０が退避位置と突出位置との間の位置に配されたときの演出役物装置１００を示し、図８は、突出位置に配されたときの演出役物装置１００を示す。また、図６（ａ）、図７（ａ）、図８（ａ）、は、演出役物装置１００の正面図を、図６（ｂ）、（ｃ）、図７（ｂ）、（ｃ）、図８（ｂ）は、演出役物装置１００の背面図を示す。なお、理解を容易にするために、図６（ｃ）では、支持体１５０の記載を省略するとともに、第２ギヤ２０６、３０６を破線で示し、図７（ｃ）では、支持体１５０、第１ギヤ２０４、３０４、第２ギヤ２０６、３０６、第１アーム２１２、３１２、第２アーム２１４、３１４の記載を省略し、図８（ｂ）では、支持体１５０を破線で示す。
【００２９】
これらの図に示すように、演出役物装置１００は、上記役物本体１１０、上記支持体１５０、および、役物本体１１０を駆動する駆動機構２００を含んで構成される。
【００３０】
駆動機構２００は、モータ２０２、３０２と、第１ギヤ２０４、３０４と、第１ギヤ２０４、３０４に噛合する第２ギヤ２０６、３０６と、リンク機構２１０とを含んで構成され、役物本体１１０を退避位置から突出位置に移動させたり、突出位置から退避位置に移動させたりする。なお、本実施形態において駆動機構２００は、同一平面上（ここでは、演出表示部５０ａの表示面と平行な平面上）で役物本体１００を移動させる。リンク機構２１０は、第１アーム２１２、３１２と、第２アーム２１４、３１４と、第１リンク部材２２０と、第２リンク部材３２０と、第１連結部材２５０と、第２連結部材３５０とを含んで構成される。
【００３１】
以下に、駆動機構２００における各構成部材の接続関係と、駆動機構２００および役物本体１１０の接続関係について具体的に説明する。なお、本実施形態における演出役物装置１００は、遊技機本体１の正面視において左右対称（遊技機本体１の幅方向の一端側と他端側が対称）に構成されている。したがって、ここでは、遊技機本体１の幅方向一端側における構成、具体的には、モータ２０２、第１ギヤ２０４、第２ギヤ２０６、第１アーム２１２、第２アーム２１４、ガイドピン２１４ａ、第１リンク部材２２０（一端側２２０ａ、係合部２２０ｂ）、第１連結部材２５０（一端側２５０ａ、他端側２５０ｂ）、第１本体部１１０ａについて説明し、幅方向他端側における構成（モータ３０２、第１ギヤ３０４、第２ギヤ３０６、第１アーム３１２、第２アーム３１４、ガイドピン３１４ａ、第２リンク部材３２０（一端側３２０ａ、係合部３２０ｂ）、第２連結部材３５０（一端側３５０ａ、他端側３５０ｂ）、第２本体部１１０ｂ）については説明を省略する。
【００３２】
図６（ａ）に示すように、支持体１５０の正面側（表側）には、長手方向の両端部近傍それぞれにモータ２０２、３０２が固定され、モータ２０２、３０２の出力軸が背面側（裏側）に貫通している。また、図６（ｂ）に示すように、支持体１５０の裏側には、モータ２０２、３０２の出力軸に固定された第１ギヤ２０４、３０４が設けられており、第１ギヤ２０４、３０４に噛合する第２ギヤ２０６、３０６が支持体１５０に回転自在に支持されている。
【００３３】
また、第１アーム２１２は、その一端が第２ギヤ２０６の平面（外周近傍）に回転自在に連結される。第２アーム２１４は、その一端が支持体１５０に回転自在に支持されるとともに、他端に設けられたガイドピン２１４ａが支持体１５０の裏側から表側に向けてガイド孔１５２ａを挿通している。第１アーム２１２の他端は第２アーム２１４に回転自在に連結されており、第２ギヤ２０６が回転すると第２アーム２１４が一端を軸とし、他端がガイド孔１５２ａを沿うように揺動する。
【００３４】
第１リンク部材２２０は、支持体１５０の表側に設けられ、図６（ｃ）に示すように、一端側２２０ａが支持体１５０の長手方向中央近傍に回転自在に軸支される。また、第１リンク部材２２０の他端側には係合部２２０ｂが設けられている。係合部２２０ｂは、第１本体部１１０ａの背面に設けられた本体側案内部１３０ａにスライド可能に係合されている。さらに、第１リンク部材２２０には、第１リンク部材２２０自体の長手方向に沿って形成される長孔２２０ｃが設けられており、第２アーム２１４の他端に設けられたガイドピン２１４ａが支持体１５０のガイド孔１５２ａを貫通して、長孔２２０ｃに係合されている。
【００３５】
第１連結部材２５０は、図６（ｃ）に示すように、略Ｌ字形状の屈曲部材で構成され、その一端側２５０ａが第１リンク部材２２０の中央近傍に回転自在に連結されており、他端側２５０ｂが第１本体部１１０ａの背面に回転自在に連結されている。
【００３６】
以下、上記で説明した駆動機構２００による役物本体１１０の駆動態様について、図６〜図８を用いて説明する。ここでは、退避位置から突出位置へ移動する際の演出役物装置１００の駆動態様について説明する。なお、上述したように、本実施形態における演出役物装置１００は、遊技機本体１の正面視において左右対称に構成されている。したがって、ここでは、遊技機本体１の幅方向一端側における構成の駆動態様、具体的には、モータ２０２、第１ギヤ２０４、第２ギヤ２０６、第１アーム２１２、第２アーム２１４、ガイドピン２１４ａ、第１リンク部材２２０（一端側２２０ａ、係合部２２０ｂ）、第１連結部材２５０（一端側２５０ａ、他端側２５０ｂ）、第１本体部１１０ａの駆動態様について説明し、幅方向他端側における構成（モータ３０２、第１ギヤ３０４、第２ギヤ３０６、第１アーム３１２、第２アーム３１４、第２リンク部材３２０（一端側３２０ａ、係合部３２０ｂ）、第２連結部材３５０（一端側３５０ａ、他端側３５０ｂ）第２本体部１１０ｂ）の駆動態様については説明を省略する。
【００３７】
図６に示す退避位置において、駆動機構２００は、第１本体部１１０ａおよび第２本体部１１０ｂの両対向面１２０ａ、１２０ｂの対向角度（両対向面１２０ａ、１２０ｂが成す角度）が合体姿勢よりも大きく、かつ、退避位置から突出位置への移動方向における後方（図６中、上方）側に第１本体部１１０ａおよび第２本体部１１０ｂの両対向面１２０ａ、１２０ｂを臨ませた格納姿勢に役物本体１１０を保持する。
【００３８】
駆動機構２００が退避位置から突出位置へ第１本体部１１０ａを移動させる場合、モータ２０２によって第１ギヤ２０４が回転され、第１ギヤ２０４に噛合された第２ギヤ２０６が回転する。これに伴って、第２ギヤ２０６に連結された第１アーム２１２が移動し、第１アーム２１２に連結された第２アーム２１４は、支持体１５０に支持された一端を軸とし、他端（ガイドピン２１４ａ）がガイド孔１５２ａに沿うように揺動する（図７（ｂ）参照）。
【００３９】
第１リンク部材２２０の長孔２２０ｃには、第２アーム２１４の他端に設けられたガイドピン２１４ａが係合されている。したがって、ガイドピン２１４ａがガイド孔１５２ａに沿って円弧状に移動すると、当該ガイドピン２１４ａの移動に伴って、長孔２２０ｃすなわち第１リンク部材２２０を鉛直下方に押し下げる力が作用する。その結果、第１リンク部材２２０は、一端側２２０ａを回転軸として、係合部２２０ｂが、支持体１５０の端部側から中央側に向かって下方に円弧を描くように回転する（図７（ｃ）参照）。つまり、退避位置から突出位置へ移動させる過程において、第１リンク部材２２０および第２リンク部材３２０は、係合部２２０ｂと係合部３２０ｂとが互いに近接する方向に回転する。
【００４０】
そして、この第１リンク部材２２０および第２リンク部材３２０の回転に伴う第１連結部材２５０および第２連結部材３５０の揺動と、係合部２２０ｂ、３２０ｂの本体側案内部１３０ａ、１３０ｂにおけるスライドとにより、第１本体部１１０ａおよび第２本体部１１０ｂを格納姿勢から合体姿勢へ変位させる。本実施形態において、第１本体部１１０ａおよび第２本体部１１０ｂの退避位置から突出位置への移動（格納姿勢から合体姿勢への変位）は、以下に示すように遂行される。
【００４１】
すなわち、図６（ｃ）に示すように、退避位置において第１リンク部材２２０の係合部２２０ｂは、本体側案内部１３０ａにおける対向面１２０ａ側の端部（役物本体１１０が合体姿勢にあるとき、第１本体部１１０ａおよび第２本体部１１０ｂにおける両本体側案内部１３０ａ、ｌ３０ｂのうち、互いに近接する側に位置する端部）に位置する。そして、駆動機構２００によって第１本体部１１０ａが退避位置から突出位置への移動を開始すると、図７に示すように、第１リンク部材２２０は、一端側２２０ａを回転軸として係合部２２０ｂが第２本体部１１０ｂに近接する方向に回転するとともに、第１連結部材２５０が揺動する。このとき、第１連結部材２５０における一端側２５０ａと他端側２５０ｂとの距離は固定されているため、第１リンク部材２２０の回転に伴って、第１本体部１１０ａが下方に移動するとともに、連結部１１２を回転軸として第１連結部材２５０が第１本体部１１０ａの上端を支持体１５０の中央側に引き寄せる。
【００４２】
また、このとき、第１リンク部材２２０の係合部２２０ｂが、本体側案内部１３０ａを対向面１２０ａ側の端部から円弧面１２２ａ側の端部にスライドし、これによって、第１本体部１１０ａの上端が支持体１５０の中央側に引き寄せられる。
【００４３】
そして、係合部２２０ｂが本体側案内部１３０ａにおける円弧面１２２ａ側の端部に到達すると、図７に示すように、第１リンク部材２２０および第１連結部材２５０は、係合部２２０ｂを本体側案内部１３０ａの円弧面１２２ａ側の端部に位置させた状態で、第１本体部１１０ａをさらに下方に移動させるとともに、第１本体部１１０ａの上端を支持体１５０の中央側に引き寄せる。
【００４４】
そして、所定の角度まで第１本体部１１０ａを回転させると、第１リンク部材２２０の回転に伴って、本体側案内部１３０ａが係合部２２０ｂに案内されるようにスライドする。すなわち、係合部２２０ｂは、本体側案内部１３０ａを円弧面１２２ａ側の端部から対向面１２０ａ側の端部にスライドすることになる。これによって、第１本体部１１０ａの上端が支持体１５０の中央側に引き寄せられ、対向面１２０ａが第２本体部１１０ｂの対向面１２０ｂと平行に対向することになる（図８参照）。
【００４５】
また、モータ３０２、第１ギヤ３０４、第２ギヤ３０６、第１アーム３１２、第２アーム３１４によって、第２リンク部材３２０が回転するとともに、第２連結部材３５０が揺動し、上記と同様に第２本体部１１０ｂを下方に移動させるとともに、連結部１１２を回転軸として第２本体部１１０ｂの上端を支持体１５０の中央側に引き寄せる。
【００４６】
このように、駆動機構２００によって退避位置から突出位置へ駆動されることで、役物本体１１０は格納姿勢から合体姿勢に変位することになる。なお、図８に示すように、役物本体１１０が合体姿勢にあるとき、係合部２２０ｂ、３２０ｂは、第１本体部１１０ａおよび第２本体部１１０ｂにおける両本体側案内部１３０ａ、１３０ｂのうち、互いに近接する側の一方の端部（対向面１２０ａ、１２０ｂ側の端部）に位置している。
【００４７】
つまり、退避位置から突出位置へ移動させる際、係合部２２０ｂ、３２０ｂは、第１リンク部材２２０および第２リンク部材３２０の回転に伴って役物本体１１０が格納姿勢から合体姿勢に変位する過程で、両本体側案内部１３０ａ、１３０ｂを一方の端部と他方の端部との間で往復動することになる。
【００４８】
なお、駆動機構２００によって、突出位置から退避位置へ移動する際の第１本体部１１０ａおよび第２本体部１１０ｂの移動態様は、上記で説明した退避位置から突出位置への移動と逆の順、すなわち、図８、図７、図６に示す順で遂行される。
【００４９】
具体的に説明すると、図８に示すように突出位置において、第１リンク部材２２０および第２リンク部材３２０は、両係合部２２０ｂ、３２０ｂを、第１本体部１１０ａおよび第２本体部１１０ｂにおける両本体側案内部１３０ａ、１３０ｂのうち、互いに近接する側の一方の端部（対向面１２０ａ、１２０ｂ側の端部）に位置させている。そして、突出位置から退避位置へ移動する場合に、モータ２０４、３０４を上記とは逆方向に回転させると、第１リンク部材２２０および第２リンク部材３２０は、一端側２２０ａ、３２０ａを回転軸として係合部２２０ｂ、３２０ｂが互いに離反する方向に回転する。
【００５０】
このとき、第１連結部材２５０における一端側２５０ａと他端側２５０ｂとの距離、および第２連結部材３５０における一端側３５０ａと他端側３５０ｂとの距離は固定されているため、第１リンク部材２２０および第２リンク部材３２０の回転に伴って、第１本体部１１０ａおよび第２本体部１１０ｂが上方に移動するとともに、第１連結部材２５０および第２連結部材３５０によって、連結部１１２を回転軸として、第１本体部１１０ａの上端および第２本体部１１０ｂの上端が徐々に離隔する。
【００５１】
また、このとき、第１本体部１１０ａおよび第２本体部１１０ｂを回転させると、第１リンク部材２２０および第２リンク部材３２０の回転に伴って、本体側案内部１３０ａ、１３０ｂが係合部２２０ｂ、３２０ｂに案内されるようにスライドする。すなわち、係合部２２０ｂ、３２０ｂは、本体側案内部１３０ａ、１３０ｂを対向面１２０ａ、１２０ｂ側の端部から円弧面１２２ａ、１２２ｂ側の端部にスライドすることになる。これによって、第１本体部１１０ａの上端および第２本体部１１０ｂの上端が徐々に離隔する。
【００５２】
そして、係合部２２０ｂ、３２０ｂが本体側案内部１３０ａ、１３０ｂにおける円弧面１２２ａ、１２２ｂ側の端部に到達すると、図７に示すように、第１リンク部材２２０および第１連結部材２５０と、第２リンク部材３２０および第２連結部材３５０は、係合部２２０ｂ、３２０ｂを本体側案内部１３０ａ、１３０ｂの円弧面１２２ａ、１２２ｂ側の端部に位置させた状態で第１本体部１１０ａおよび第２本体部１１０ｂをさらに上方に移動させるとともに、第１本体部１１０ａおよび第２本体部１１０ｂの上端を離隔させる。
【００５３】
そして、所定の角度まで第１本体部１１０ａおよび第２本体部１１０ｂを回転させると、第１リンク部材２２０および第２リンク部材３２０の回転に伴って、係合部２２０ｂ、３２０ｂが、本体側案内部１３０ａ、１３０ｂを円弧面１２２ａ側の端部から対向面１２０ａ側の端部にスライドし、これによって、第１本体部１１０ａおよび第２本体部１１０ｂの上端が離隔し、図６に示す格納姿勢となる。
【００５４】
つまり、駆動機構２００は、第１本体部１１０ａおよび第２本体部１１０ｂを突出位置から退避位置へと移動させる際、移動方向における前方（図６、図７、図８中上方）側の第１本体部１１０ａおよび第２本体部１１０ｂの両対向面間の距離を、移動方向における後方（図６、図７、図８中下方）側の両対向面間の距離に比べて徐々に大きくすることとなる。
【００５５】
（第１本体部および第２本体部の移動軌跡）
図９は、第１本体部および第２本体部の移動軌跡を説明するための図である。図９中、従来の第１本体部および第２本体部の移動軌跡を破線で、本実施形態の第１本体部１１０ａおよび第２本体部１１０ｂの移動軌跡を実線で示す。
【００５６】
図９に示すように、従来の第１本体部および第２本体部は、第１本体部および第２本体部の退避位置から突出位置への移動方向における後方の端部、すなわち図９中上端が連結されている。この場合、第１本体部および第２本体部の移動空間は、図９中破線で示すように、移動方向と直交する方向（図９中左右方向）へ大きく広がってしまう。
【００５７】
一方、本実施形態にかかる、第１本体部１１０ａおよび第２本体部１１０ｂは、図９中実線で示すように、連結部１１２によって下端が連結され、かつ、突出位置から退避位置へと移動させる際、リンク機構２１０によって、移動方向における前方側の第１本体部１１０ａおよび第２本体部１１０ｂの両対向面間の距離を、移動方向における後方側の両対向面間の距離に比べて徐々に大きくするように移動する。こうすることで、本実施形態の役物本体１１０の移動空間は従来の役物本体の移動空間と比較して移動方向と直交する方向の空間を大幅に小さくすることができる。
【００５８】
（第１連結部材２５０および第２連結部材３５０の効果）
図１０は、第１連結部材２５０および第２連結部材３５０の効果を説明するための図である。本実施形態においては、上記のとおりに、第１本体部１１０ａに第１連結部材２５０および第１リンク部材２２０が連結、係合され、第２本体部１１０ｂに第２連結部材３５０および第２リンク部材３２０が連結、係合されることで、図９に示す如く、移動空間が小さくなる。しかしながら、本実施形態の第１連結部材２５０および第２連結部材３５０を設けずに、第１リンク部材２２０および第２リンク部材３２０によっても、従来に比して、役物本体１１０の移動空間を小さくすることが可能である。
【００５９】
図１０では、第１連結部材２５０および第２連結部材３５０を備えない変形例のリンク機構によって移動する第１本体部および第２本体部の移動軌跡を破線で、第１連結部材２５０および第２連結部材３５０を備えた本実施形態のリンク機構２１０によって移動する第１本体部１１０ａおよび第２本体部１１０ｂの移動軌跡を実線で示す。
【００６０】
この図からも明らかなように、変形例のリンク機構によっても、従来に比して役物本体１１０の移動空間を小さくすることが可能である。しかしながら、本実施形態のように、第１連結部材２５０および第２連結部材３５０を設けることにより、役物本体１１０の移動空間のうち、特に、移動方向と直交する方向の空間をより一層小さくすることができる。
【００６１】
以上説明したように、本実施形態にかかる演出役物装置１００によれば、設計作業を簡素化しつつ、迫力ある演出を行うことができる。
【００６２】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６３】
例えば、本実施形態において、演出役物装置１００の駆動機構２００が、役物本体１００（第１本体部１１０ａおよび第２本体部１１０ｂ）を鉛直方向に移動させる場合を例に挙げて説明したが、移動方向に限定はなく、例えば水平方向に移動させてもよい。
また、本実施形態において、駆動機構２００は、役物本体１００を同一平面上で移動させる場合を例に挙げて説明したが、必ずしも同一平面上で移動させる必要はない。
また、本実施形態において、第１本体部１１０ａおよび第２本体部１１０ｂを略半円形状で構成したが、形状に限定はない。
また、本実施形態においては、２つのモータを設けることとしたが、第１本体部１１０ａおよび第２本体部１１０ｂのそれぞれを支持するリンク機構を、１つのモータによって駆動しても構わない。
【符号の説明】
【００６４】
１     …遊技機本体
１００  …演出役物装置
１１０  …役物本体
１１０ａ  …第１本体部
１１０ｂ  …第２本体部
１２０ａ、１２０ｂ  …対向面
１３０ａ、１３０ｂ  …本体側案内部
２００  …駆動機構
２２０  …第１リンク部材
２５０  …第１連結部材
３２０  …第２リンク部材
３５０  …第２連結部材
２２０ｂ、３２０ｂ  …係合部
【図１】
0005815380.tif 000002
【図２】
0005815380.tif 000003
【図３】
0005815380.tif 000004
【図４】
0005815380.tif 000005
【図５】
0005815380.tif 000006
【図６】
0005815380.tif 000007
【図７】
0005815380.tif 000008
【図８】
0005815380.tif 000009
【図９】
0005815380.tif 000010
【図１０】
0005815380.tif 000011